(57)【要約】      （修正有）【課題】メンテナンスによるヘッドの交換等が簡単且つ安全に行えると共に、散布域パターンの調整と散布域の拡大を可能とする噴霧装置の提供。【解決手段】屋内空間等の天井面１４近傍にトラフ構造のフレーム１２が電動ホイスト１６により昇降自在に設置される。フレーム１２には水系の噴霧液を放出して液滴を含む噴霧流を生成する複数のヘッド２８と高電圧を複数のヘッド２８に印加して噴霧流の液滴を帯電させる高圧電源装置３６が配設される。噴霧液の供給元管からホースによりフレーム１２に配設された複数のヘッドに至る噴霧液配管に噴霧液を供給しており、吊り下げ機構によるフレームの昇降に伴うホースの弛みは、ホース弛み吸収装置のリールによるホース巻き取りにより吸収される。リトラクター式墜落防止器具２２は電動ホイスト１６のワイヤー切断又は故障によるフレーム１２の急激な落下を防止する。【選択図】図１
2019202285.tif 000002
【特許請求の範囲】
【請求項１】
準屋内又は屋内の空間に設置する噴霧装置であって、
水系の噴霧液を放出して液滴を含む噴霧流を生成する複数のヘッドと、
所定の高電圧を前記複数のヘッドに印加して前記噴霧流の液滴を帯電させる高圧電源装置と、
前記複数のヘッド及び前記高圧電源装置を配設したフレームと、
前記フレームを前記空間の天井近傍に吊り下げて設置する昇降自在な吊り下げ機構と、
加圧装置にて加圧した前記噴霧液の供給元管から、天井近傍に配置された前記フレームに配設され前記複数のヘッドに至る噴霧液配管に前記噴霧液を供給するホースと、
前記吊り下げ機構による前記フレームの昇降に伴う前記ホースの弛みをリールの巻き取りにより吸収するホース弛み吸収装置と、
が設けられたことを特徴とする噴霧装置。
【請求項２】
請求項１記載の噴霧装置に於いて、
更に、前記吊り下げ機構の切断又は故障による前記フレームの急激な落下を防止するリトラクター式墜落阻止器具が設けられたことを特徴とする噴霧装置。
【請求項３】
請求項１記載の噴霧装置に於いて、
前記高圧電源装置は、前記屋内側に固定されたコンセントに接続された電源ケーブルにより商用電源が入力され、
前記吊り下げ機構による前記フレームの昇降に伴う前記電源ケーブルの弛みをリールの巻き取りにより吸収するケーブル弛み吸収装置が設けられたことを特徴とする噴霧装置。
【請求項４】
請求項１記載の噴霧装置において、前記フレームは、トラス構造を有するフレームであり、前記吊り下げ機構は前記フレームの少なくとも２か所を吊下げるように配置されたことを特徴とする噴霧装置。
【請求項５】
請求項１記載の噴霧装置に於いて、前記吊り下げ機構は、天井近傍に設置される電動ホイスト又は前記フレームに設置される電動ウインチであることを特徴とする噴霧装置。
【請求項６】
請求項１に記載の噴霧装置において、前記ヘッドは、前記噴霧流の放射角度を調整できる角度調整部を備えたことを特徴とする噴霧装置。
【請求項７】
請求項１記載の噴霧装置において、前記フレームに配設された前記複数のヘッドのそれぞれに至る噴霧液配管の途中に、噴霧液の供給を制御できる制御弁が設けられたことを特徴とする噴霧装置。
【請求項８】
請求項１記載の噴霧装置に於いて、前記フレームには、更に、ＤＩＮレールが固定され、前記ヘッドは前記ＤＩＮレールを把持する把持部材を介して位置変更自在に配設されたことを特徴とする噴霧装置。
【請求項９】
請求項１記載の噴霧装置に於いて、更に、前記フレームに、前記ヘッドからの噴霧流に送風流を概下方から作用させて散布域を調整する送風ファン装置が送風方向を変更自在に設けられたことを特徴とする噴霧装置。
【請求項１０】
請求項９記載の噴霧装置において、前記送風ファン装置は、送風流を概円柱状から概扇状へ変換させるデフレクターが設けられたことを特徴とする噴霧装置。
【請求項１１】
請求項１記載の噴霧装置に於いて、
前記ヘッドは、
加圧供給された前記噴霧液を噴出しつつ前記液滴を含む噴霧流を生成する噴出ノズル部と、
前記噴出ノズル部から噴出された噴霧流の周囲に配置され、前記高圧電源装置から所定の電圧が印加されて所定の電界を形成し、前記噴出ノズル部で生成した前記液滴を前記電界によって帯電させて帯電噴霧流にする絶縁体にて被覆された概リング状の導体からなる誘導電極と、
前記誘導電極に印加する電圧の基準電位を与える水側電極部と、
を備えたことを特徴とする噴霧装置。
【請求項１２】
請求項１０記載の噴霧装置に於いて、
前記ヘッドで前記噴霧流を生成する際に印加する電圧を、０Ｖを除く−２０ｋＶ乃至２０ｋＶの範囲の所定電圧としたことを特徴とする噴霧装置。
【発明の詳細な説明】
【技術分野】
【０００１】
本発明は、準屋内又は屋内に設置されて、水、粉塵捕集剤、農薬又は消火剤等の噴霧液から帯電噴霧流を生成して噴霧する噴霧装置に関する。
【背景技術】
【０００２】
従来、例えば解体現場やトンネル掘削現場、廃棄物処分場等では、極力粉塵の発生を抑えるようにし、また、発生した粉塵を空気中から効率的に除去することが重要である。そして、従来、解体作業や廃棄物の処理作業等を散水しながら行って、粉塵の発生を抑え、また、発生した粉塵を除去するようにしている。
【０００３】
このような粉塵を除去するための噴霧装置として、屋内等の空間の天井近傍に配設されたフレームに複数のヘッドを設置し、複数のヘッドから水系の噴霧液を放出して液滴を含む噴霧流を生成する際に、高電圧をヘッドに印加して噴霧流の液滴を帯電させた帯電噴霧流を噴霧し、帯電した液滴と空気中に浮遊する粉塵との間に作用するグラディエント力によって粉塵を効率良く補足して落下除去させるものが知られている。
【先行技術文献】
【特許文献】
【０００４】
【特許文献１】特許第４０１４１２２号公報
【特許文献２】特開２００２−２６３６０４号公報
【特許文献３】特開２００３−２４０２２４号公報
【特許文献４】特開２００３−２７５６１７号公報
【特許文献５】特開２０１３−２２７８０６号公報
【特許文献６】特開２０１３−２２６５１７号公報
【発明の概要】
【発明が解決しようとする課題】
【０００５】
ところで、このような噴霧装置にあっては、フレームに配設されたヘッドを必要に応じてメンテナンスする必要があり、従来は、高所作業車の寄り付きによりヘッドを取外して交換修理するといったメンテナンスを行なっている。
【０００６】
しかしながら、メンテナンスの都度，高所作業車及びオペレータの手配が必要となり、また作業中の工場などにおいては高所作業車の寄り付きスペースを空ける作業が必要となり，噴霧装置のメンテナンスに多くのコストと手間がかかっている。
【０００７】
この問題を解決するため、噴霧装置のフレームを天井近傍にホイストにて吊り下げておくように構成し、メンテナンスの際にはホイストによりフレームを地上に下ろして作業が行えることから，安全で丁寧な作業が行える利点がある。
【０００８】
しかしながら，ホイストにより天井近傍に吊下げているフレームには、ヘッドに噴霧液を供給するためのホースや高圧電源装置に商用交流電源を供給するためのケーブルが連結され、ホースやケーブルは天井面に沿わせておくために要所ごとに天井面に固定されており、メンテナンスのためにフレームを下げるときには、高所作業車にて天井に寄り付き、天井面に対するホースやケーブルの固定部を外さなければならず，更に，メンテナンス後の復旧時にも、これとは逆にフレームを吊り上げてホースやケーブルを天井面に沿って固定するセッティングの作業が必要であり、依然として、メンテナンス時のヘッドの取り外しと取り付けの作業に、人員、時間及びコストのかかる問題があった。
【０００９】
また、従来の噴霧装置は、ヘッドがフレームに固定されており、散布域パターンの調節が行えないという問題もある。
【００１０】
更に、従来の散布装置は、ヘッドからの噴霧流を真横に向けても有効に噴霧できる範囲は３メートル程度であり，それ以上の広域に散布できないという問題もある。
【００１１】
本発明は、メンテナンスによるヘッドの交換等が簡単且つ安全に行えると共に、散布域パターンの調整と散布域の拡大を可能とする噴霧装置を提供することを目的とする。
【課題を解決するための手段】
【００１２】
（噴霧装置）
本発明は、準屋内又は屋内の空間に設置する噴霧装置であって、
水系の噴霧液を放出して液滴を含む噴霧流を生成する複数のヘッドと、
所定の高電圧を複数のヘッドに印加して噴霧流の液滴（水粒子）を帯電させる高圧電源装置と、
複数のヘッド及び高圧電源装置を配設したフレームと、
フレームを空間の天井近傍に吊り下げて設置する昇降自在な吊り下げ機構と、
加圧装置にて加圧した噴霧液の供給元管から、天井近傍に配置されたフレームに配設され複数のヘッドに至る噴霧液配管に噴霧液を供給するホースと、
吊り下げ機構によるフレームの昇降に伴うホースの弛みをリールの巻き取りにより吸収するホース弛み吸収装置と、
が設けられたことを特徴とする。
【００１３】
（墜落阻止器具）
更に、吊り下げ機構のワイヤー又は故障によるフレームの急激な落下を防止するリトラクター式墜落阻止器具が設けられる。
【００１４】
（ケーブル弛み吸収装置）
高圧電源装置は、屋内側に固定されたコンセントに接続された電源ケーブルにより商用電源が入力され、
吊り下げ機構によるフレームの昇降に伴う電源ケーブルの弛みをリールの巻き取りにより吸収するケーブル弛み吸収装置が設けられる。
【００１５】
（フレームのトラフ構造と２箇所吊下げ）
フレームは、トラス構造を有するフレームであり、吊り下げ機構はフレームの少なくとも２か所を吊下げるように配置される。
【００１６】
（吊下げ機構）
吊り下げ機構は、天井近傍に設置される電動ホイスト又はフレームに設置される電動ウインチである。
【００１７】
（噴霧流の放射角）
ヘッドは、噴霧流の放射角度を調整できる角度調整部を備える。
【００１８】
（噴霧液の制御弁）
フレームに配設された複数のヘッドのそれぞれに至る噴霧液配管の途中に、噴霧液の供給を制御できる制御弁が設けられる。
【００１９】
（ＤＩＮレール）
フレームには、更に、ＤＩＮレールが固定され、ヘッドはＤＩＮレールを把持する把持部材を介して位置変更自在に配設される。
【００２０】
（送風ファン装置）
更に、フレームに、ヘッドからの噴霧流に送風流を概下方から作用させて散布域を調整する送風ファン装置が送風方向を変更自在に設けられる。
【００２１】
（デフレクター）
送風ファン装置には、送風流を概円柱状から概扇状へ変換させるデフレクターが設けられる。
【００２２】
（ヘッド構造）
ヘッドは、
加圧供給された噴霧液を噴出しつつ液滴を含む噴霧流を生成する噴出ノズル部と、
噴出ノズル部から噴出された噴霧流の周囲に配置され、高圧電源装置から所定の電圧が印加されて所定の電界を形成し、噴出ノズル部で生成した液滴を電界によって帯電させて帯電噴霧流にする絶縁体にて被覆された概リング状の導体からなる誘導電極と、
誘導電極に印加する電圧の基準電位を与える水側電極部と、
を備える。
【００２３】
（印可電圧）
ヘッドで噴霧流を生成する際に印加する電圧を、０Ｖを除く−２０ｋＶ乃至２０ｋＶの範囲の所定電圧とする。
【発明の効果】
【００２４】
（基本的な効果）
本発明は、準屋内又は屋内の空間に設置する噴霧装置であって、水系の噴霧液を放出して液滴を含む噴霧流を生成する複数のヘッドと、所定の高電圧を複数のヘッドに印加して噴霧流の液滴を帯電させる高圧電源装置と、複数のヘッド及び高圧電源装置を配設したフレームと、フレームを空間の天井近傍に吊り下げて設置する昇降自在な吊り下げ機構と、加圧装置にて加圧した噴霧液の供給元管から、天井近傍に配置されたフレームに配設され複数のヘッドに至る噴霧液配管に噴霧液を供給するホースと、吊り下げ機構によるフレームの昇降に伴うホースの弛みをリールの巻き取りにより吸収するホース弛み吸収装置とが設けられたため、天井近傍に吊下げられたヘッドを配設したフレームを下げる場合にはホース弛み吸収装置からホースが送り出され、また、フレームを上げる場合にはホースがホース弛み吸収装置に巻き取られ、このため噴霧液の供給元管からフレーム側にホースを連結していても、フレームを下げるときにホースを天井部の固定から取り外したりする作業、及びフレームを上げるときにホースを天井部に固定する復旧作業が不要となり、簡単且つ安全にフレームを下ろし、短時間でヘッドを点検し、必要に応じて修理交換するといった安全丁寧なメンテナンス作業をすることができる。
【００２５】
（墜落阻止器具の効果）
更に、吊り下げ機構のワイヤー切断又は故障によるフレームの急激な落下を防止するリトラクター式墜落阻止器具が設けられたため、吊り下げ機構に万一、ワイヤー切断や故障が発生してフレームが急激に落下しようとするとリトラクター式墜落阻止器具が作動してフレームの落下を防止することができ，高い安全性を確保することができる。
【００２６】
（ケーブル弛み吸収装置の効果）
また、高圧電源装置は、屋内側に固定されたコンセントに接続された電源ケーブルにより商用電源が入力されており、吊り下げ機構によるフレームの昇降に伴う電源ケーブルの弛みをリールの巻き取りにより吸収するケーブル弛み吸収装置が設けられたため、ホース弛み吸収装置の場合と同様、天井近傍に吊下げられたヘッドを配設したフレームを下げる場合にはケーブル弛み吸収装置から電源ケーブルが送り出され、また、フレームを上げる場合には電源ケーブルがケーブル弛み吸収装置に巻き取られ、このため屋内側に固定したコンセントから電源ケーブルをフレームの高圧電源装置に商用交流電源を入力していても、フレームを下げるときに電源ケーブルを天井部の固定から取り外したりする作業、及びフレームを上げるときにケーブルを天井部に固定する復旧作業が不要となり、簡単且つ安全にフレームを下ろし、短時間でヘッドを点検し、必要に応じて修理交換するといった安全丁寧なメンテナンス作業をすることができる。
【００２７】
（フレームのトラフ構造と２箇所吊下げの効果）
また、フレームは、トラス構造を有するフレームであり、吊り下げ機構はフレームの少なくとも２か所を吊下げるように配置され、吊り下げ機構は、天井近傍に設置される電動ホイスト又はフレームに設置される電動ウインチとしたため、トラス構造によりフレームが軽量化され、更に、フレームの少なくとも２箇所を吊り下げることでフレームの吊下げが安定し、吊り下げ機構として機能する電動ホイストや電動ウインチ、更に、天井構造に対する負担を軽減することができる。
【００２８】
（噴霧流の放射角度調整による効果）
また、ヘッドは、噴霧流の放射角度を調整できる角度調整部を備えたため、フレームに配置された複数のヘッドからの噴霧流の放射角度を簡単に調整することができ、空間あるいは被散布物に対して効率良く散布を行うことができる。
【００２９】
（噴霧液の制御弁による効果）
また、フレームに配設された複数のヘッドのそれぞれに至る噴霧液配管の途中に、噴霧液の供給を制御できる制御弁が設けられたため、制御弁の開閉制御によるフレームに配列された複数のヘッドによる帯電噴霧流の有無を必要に応じて選択することができ、空間あるいは被散布物に対して効率良く散布を行うことができる。
【００３０】
（ＤＩＮレールによる効果）
また、フレームには、更に、ＤＩＮレールが固定され、ヘッドはＤＩＮレールを把持する把持部材を介して位置変更自在に配設されたため、フレームに対するヘッドの取り付け取り外しが容易であり、ＤＩＮレール上であれば任意の位置にヘッド取り付けることができ，また、フレーム側にヘッドを取り付けるための場所と構造を設ける必要がないなどの効果が得られる。
【００３１】
更に、ＤＩＮレールに把持部材を介してヘッドを取り付けることで、フレームに配置された複数のヘッドの配置間隔を必要に応じて簡単に調整することができ、空間あるいは被散布物に対して効率良く散布を行うことができる。
【００３２】
（送風ファン装置の効果）
更に、フレームに、ヘッドからの噴霧流に送風流を概下方から作用させて散布域を調整する送風ファン装置が送風方向を変更自在に設けられたため、送風装置からの送風流に乗せてヘッドからの帯電噴霧流を運ぶことで、散布域を広範囲に拡大することができる。
【００３３】
（デフレクターの効果）
また、送風ファン装置には、送風流を概円柱状から概扇状へ変換させるデフレクターが設けられたため、送風ファン装置からの概円柱状の送風流がデフレクターに当たることで概扇状に広がった状態でヘッドからの帯電含む流に概下側から作用し、ヘッドからの帯電噴霧流に幅を広げて散布域内の散布ムラを低減することができる。
【００３４】
（ヘッド構造の効果）
また、ヘッドは、加圧供給された噴霧液を噴出しつつ液滴を含む噴霧流を生成する噴出ノズル部と、噴出ノズル部から噴出された噴霧流の周囲に配置され、高圧電源装置から所定の電圧が印加されて所定の電界を形成し、噴出ノズル部で生成した液滴を電界によって帯電させて帯電噴霧流にする絶縁体にて被覆された概リング状の導体からなる誘導電極と、誘導電極に印加する電圧の基準電位を与える水側電極部とを備えたため、噴出ノズル部で生成した液滴を誘導電極部によって形成された電界によって帯電させることができ、容易に且つ確実に帯電噴霧流を生成して噴出させることができる。
る。
【００３５】
（印可電圧）
ヘッドで噴霧流を生成する際に印加する電圧を、０Ｖを除く−２０ｋＶ乃至２０ｋＶの範囲の所定電圧としたため、コロナ放電が発生することを防止できる。
【図面の簡単な説明】
【００３６】
【図１】噴霧装置の実施形態を示した説明図
【図２】上げ下げ機構とリトラクター式墜落防止機器によるフレームの吊下げ構造を示した説明図
【図３】フレームに搭載されたホース弛み吸収装置とケーブル弛み吸収装置を示した説明図
【図４】図１の噴霧装置を側方から示した説明図
【図５】複数のヘッドの放射方向を同一方向に調整した噴霧装置を示した説明図
【図６】ヘッド毎に制御弁を設けた噴霧液の配管系統と制御系統を示した説明図
【図７】帯電噴霧流を放出するヘッドの構造を示した説明図
【図８】図７（Ｂ）のＸ−Ｘ断面によりヘッドの内部構造を示した断面図
【発明を実施するための形態】
【００３７】
［噴霧装置］
図１は粉塵除去と冷房を行う噴霧装置の実施形態を示した説明図、図２は上げ下げ機構とリトラクター式墜落防止機器によるフレームの吊下げ構造を示した説明図、図３はフレームに搭載されたホース弛み吸収装置とケーブル弛み吸収装置を示した説明図、図４は図１の噴霧装置を側方から示した説明図、  図５は複数のヘッドの放射方向を同一方向に調整した噴霧装置を示した説明図である。
【００３８】
（噴霧装置の概要）
図１に示すように、本実施形態の噴霧装置１０は、粉塵が発生する工場施設等の一部が屋外となる準屋内又は建物内となる屋内の空間に設置され、帯電された噴霧流を対象空間に放出し、帯電した液滴と空気中に浮遊する粉塵との間に作用するグラディエント力によって粉塵を効率良く補足して落下除去させる。また、夏場の高温時には、対象空間に放出された帯電した液滴が作業者に付着し、液滴の蒸発により気化熱を奪うことで冷房作用を兼ねることができる。
【００３９】
噴霧装置１０は、対象空間における天井面１４の近傍に、吊り下げ機構として機能する電動ホイスト１６により、トラフ構造により軽量化されたフレーム１２の両側を吊り下げている。更に、フレーム１２の両側は、リトラクター式墜落防止器具２２により吊下げられている。
【００４０】
フレーム１２にはＤＩＮレール３２が設けられ、ＤＩＮレール３２に対し把持部材３４により複数のヘッド２８、例えば１０台のヘッド２８が配設されている。また、フレーム１２の中央には高圧電源装置３６が配置されている。ヘッド２８は、水系の噴霧液を放出して液滴を含む噴霧流を生成し、このとき高圧電源装置３６から所定の高電圧がヘッド２８に印加されることで、噴霧流の液滴を帯電させた帯電噴霧流を対象空間に放出する。
【００４１】
なお、フレーム１２には、加圧された噴霧液を供給するホースの弛みを吸収するホース弛み吸収装置と高圧電源装置３６にＡＣ電源を供給する電源ケーブルのケーブル弛み吸収装置が搭載されるが、図示を省略している。
【００４２】
（電動ホイスト）
図２に示すように、フレーム１２の端部は、電動ホイスト１６により天井面１４の近傍に昇降自在に吊り下げられている。
【００４３】
電動ホイスト１６は、連結器具１８により天井面１４に構築された天井梁材２０に下側から挟み込み固定されており、電動ホイスト１６から引き出されたワイヤー１６ａの先端に設けられたフック１６ｂを、フレーム１２の端部上側に形成されたリフト係止部１２ａに係止して吊り下げている。
【００４４】
電動ホイスト１６は、ケーブル接続されたコントローラ又は無線により通信接続されたコントローラの操作によるモータ駆動でワイヤー１２ａを巻き出すことでフレーム１２を下げることができ、また、コントローラの操作によるモータの逆方向の駆動でワイヤ−１２ａを巻き上げることでフレーム１２を上げることができる。
【００４５】
また、メンテナンスのために電動ホイスト１６を操作してフレーム１２を地上に降ろした場合に支持するため、フレーム１２の端部下側には、ショックアブソーバー付きの支持脚１２ｂが設けられている。
【００４６】
なお、フレーム１２の吊り下げ機構としては、電動ホイスト１６以外に、フレーム１２に電動ウインチを搭載し、電動ウインチからのワイヤーを天井面１４側の固定部にフックで係止し、電動ウインチの駆動によりフレーム１２を上げ下げするようにしても良い。
【００４７】
（リトラクター式墜落防止器具）
図２に示すように、フレーム１２の端部は、電動ホイスト１６により吊下げられると共に、リトラクター式墜落防止器具２２により吊下げられている。リトラクター式墜落防止器具２２は、連結器具２４により天井面１４に構築された天井梁材２に下側から挟み込み固定されており、リトラクター式墜落防止器具２２から引き出されたワイヤー２２ａの先端に設けられたフック２２ｂを、フレーム１２の端部上側に形成されたリフト係止部１２ａに係止して吊り下げている。
【００４８】
リトラクター式墜落防止器具２２は、ワイヤー２２ａを低速が引き出している場合はブレーキはかからないが、ワイヤー２２ａが急速に引き出されるとブレーキが作用してワイヤー２２ａの引き出しがロックされる。このため、電動ホイスト１６のワイヤー１６ａが切断したり、電動ホイスト１６に故障が発生してフレーム１２が急激に落下しようとすると、ワイヤー２２ａの急激な引き出しに対しリトラクター式墜落阻止器具２２が作動してブレーキをかけてロックし、フレーム１２の落下を防止し，高い安全性を確保する。
【００４９】
（ホースと電源ケーブルの弛み吸収装置）
図３及び図４に示すように、電動ホイスト１６により吊り下げられたフレーム１２には、ホース弛み吸収装置４２とケーブル弛み吸収装置４６が搭載されている。
【００５０】
フレーム１２に配置された複数のヘッド２８には噴霧液を供給する噴霧液配管が接続されており、フレーム１２の噴霧液配管に対しては地上側に設置された加圧装置にて加圧した噴霧液の供給元管から噴霧液を供給するためのホース４４がホース弛み吸収装置４２を介して連結されている。
【００５１】
ホース弛み吸収装置４２はホースリール４２ａに天井側から引き下ろしたホース４４を巻いており、ホースリール４２ａは内蔵したモータによりホース巻き取り方向に一定のテンションがかけられている。
【００５２】
電動ホイスト１６を操作してフレーム１２を下げる場合にはホース弛み吸収装置４２からホース４４が送り出され、また、電動ホイスト１６を操作してフレーム１２を上げる場合には、ホース４４がホース弛み吸収装置４２に巻き取られる。
【００５３】
このため噴霧液の供給元管からフレーム１２側にホース４４を連結していても、フレーム１２を下げるときにホースを天井部の固定から取り外したりする作業が不要となり、また、フレーム１２を上げるときにホース４４を天井面１４側に固定する復旧作業が不要となり、簡単且つ安全にフレーム１２を下ろし、短時間でヘッド２８を点検し、必要に応じて修理交換するといった安全丁寧なメンテナンス作業をすることができる。
【００５４】
本実施形態において、フレーム１２に配設された高圧電源装置３６は、屋内側に固定されたコンセントに接続された電源ケーブル４８により商用電源ＡＣ１００Ｖが入力されており、フレーム１２の高圧電源装置３６に対してはコンセント接続された電源ケーブル４８がケーブル弛み吸収装置４６を介して接続されている。
【００５５】
高圧電源装置３６からは誘導電極電源ケーブル３８と水側電極電源ケーブル４０が引き出され、複数のヘッド２８に接続されて所定の高電圧を供給するようにしている。
【００５６】
ケーブル弛み吸収装置４６はケーブルリール４６ａに天井側から引き下ろした電源ケーブル４８を巻いており、ケーブルリール４６ａは内蔵したモータによりケーブル巻き取り方向に一定のテンションがかけられている。
【００５７】
電動ホイスト１６を操作してフレーム１２を下げる場合にはケーブル弛み吸収装置４６から電源ケーブル４８が送り出され、また、電動ホイスト１６を操作してフレーム１２を上げる場合には、電源ケーブル４８がケーブル弛み吸収装置４６に巻き取られる。
【００５８】
このため屋内に固定されたコンセントからの電源ケーブル４８をフレーム１２側の高圧電源装置３６に接続していても、フレーム１２を下げるときに電源ケーブル４８を天井面１４の固定から取り外したりする作業が不要となり、また、フレーム１２を上げるときに電源ケーブル４８４を天井面１４側に固定する復旧作業が不要となり、簡単且つ安全にフレーム１２を下ろし、短時間でヘッド２８を点検し、必要に応じて修理交換するといった安全丁寧なメンテナンス作業をすることができる。
【００５９】
なお、高圧電源装置３６として、電池又は蓄電池による直流電源を入力している場合には、フレーム１２に対する電源ケーブル４８の接続は行われないことから、この場合には、ケーブル弛み吸収装置４６を設ける必要はない。
【００６０】
（ＤＩＮレールによるヘッド取付構造）
図２及び図３に示すように、フレーム１２にはＤＩＮレール３２が固定されており、ヘッド２８はＤＩＮレール３２を把持する把持部材３４を介して位置変更自在に配設されている。
【００６１】
このため電動ホイスト１６を操作してフレーム１２を地上に降ろした状態で行うＤＩＮレール３２に対するヘッド２８の取外しと取り付けによる交換作業を簡単且つ容易に行うことができる。
【００６２】
また、ＤＩＮレール３２上であれば任意の位置にヘッド２８を取り付けることができ，また、フレーム１２側にヘッド２８を取り付けるための場所と構造を設ける必要がない。
【００６３】
更に、ＤＩＮレール３２に把持部材３４を介してヘッド２８を取り付けることで、フレーム１２に配置された複数のヘッド２８の配置間隔を必要に応じて簡単に調整することができ、空間あるいは被散布物に対して効率良く散布を行うパターンに調整することができる。
【００６４】
（噴霧流の放射角度調整）
図４に示すように、ヘッド２８は角度調整部３０を介してＤＩＮレール３２に把持部材３４で固定される。角度調整部３０は、ヘッド２８から放出される帯電噴霧流の放射角度を任意の角度に調整できる。本実施形態にあっては、図１に示すように、ヘッド２８の放射角度を１つ置きに前方の下向き角度と後方の下向き角度となるように調整している。
【００６５】
これに対し図５に示すように、角度調整部３０により全てのヘッド２８の放射角度を前方の下向き角度とするような調整が簡単にできる。
【００６６】
［制御弁によるヘッド選択］
図６はヘッド毎に制御弁を設けた噴霧液の配管系統と制御系統を示した説明図である。図１乃至図５の実施形態にあっては、フレーム１２に配設された全てのヘッド２８から帯電噴霧流を一斉に放出するようにしているが、他の実施形態として、図６に示すように、ヘッド２８毎に帯電噴霧流の放出の有無を選択できるようにしても良い。
【００６７】
図６に示すように、フレーム１２に配設された複数のヘッド２８に対しては噴霧液配管５２からの分岐配管が制御弁５０を介して接続されている。制御弁５０は電動弁又は電磁弁であり、制御装置５４からの制御信号により開閉させることができる。制御装置５４には動作させるヘッド２８を選択する操作部又は設定部が設けられており、帯電噴霧流を放出するヘッド２８を選択すると、選択された制御弁５０が開制御され、選択されなかった制御弁５０は閉状態となる。
【００６８】
また、高圧電源装置３６からヘッド２８に対しては制御装置５４を介して個別に誘導電極電源ケーブルと水側電極電源ケーブルからなる信号線が接続されており、制御装置５４における動作させるヘッド２８の選択に対応した信号線に対し高圧電圧が印加されるようにしている。
【００６９】
このように制御弁５０の開閉制御によりフレーム１２に配列された複数のヘッド２８による帯電噴霧流の有無を必要に応じて選択することができ、空間あるいは被散布物に対して効率良く散布可能とする散布パターンが形成できる。
【００７０】
なお、動作させるヘッド２８の選択は、噴霧装置１０の運用を開始する初期段階で行われることから、制御弁５０を手動弁とし、フレーム１２を地上に降ろした状態で、動作させるヘッド２８の制御弁５０を開操作し、動作させないヘッド２８の制御弁５０を閉操作するようにしても良い。
【００７１】
［送風ファン装置］
本発明による噴霧装置の他の実施形態として、フレーム１２に、ヘッド２８からの噴霧流に送風流を概下方から作用させて散布域を調整する送風ファン装置を設ける。更に、送風ファン装置に、ファン回転で噴出された概円柱状の送風流を受けて概扇状の送風流に変換させるデフレクターを設ける。
【００７２】
このようにデフレクターが設けられた送風ファン装置は、フレーム１２に配設された複数のヘッド２８の間の下側に設けられ、送風ファン装置からの概円柱状の送風流がデフレクターに当たることで概扇状に広がった状態でヘッドからの帯電含む流に概下側から作用し、デフレクターからの送風流に乗せてヘッド２８からの帯電噴霧流を運ぶことで、散布域を広範囲に拡大することができ、更に、デフレクターからの概扇形に広がる送風流に乗せてヘッド２８からの帯電噴霧流を運ぶことで、ヘッド２８からの帯電噴霧流に幅を広げて散布域内の散布ムラを低減することができる。
【００７３】
［ヘッドの構造］
図７はヘッドを示した説明図であり、図７（Ａ）は正面を示し、図７（Ｂ）は平面を示す。図８は図７（Ｂ）のＸ−Ｘ断面によりヘッドの内部構造を示した断面図である。
【００７４】
図７（Ａ）、図７（Ｂ）及び図８に示すように、本実施形態のヘッド２８は、装置ボディー１１２、ボディーカバー１１４、液体導管部１１６，水側電極部１１７、噴射ノズル部１１８、誘導電極部１２０、誘導電極保持部１２４で構成される。
【００７５】
装置ボディー１１２、ボディーカバー１１４、液体導管部１１６、噴射ノズル部１１８及び誘導電極保持部１２４は絶縁材質で作られており、この絶縁材質は、ポリ塩化ビニル樹脂、ポリフェニレンサルファイド樹脂、ウレタン樹脂、ポリテトラフロオロエチレン樹脂、ポリクロロトリフルオロエチレン樹脂、セラミックス（アルミナセラミックス）、ガラス琺瑯の少なくとも１種を絶縁材質に用いて形成されている。
【００７６】
装置ボディー１１２の内部には軸心線１３６の方向に貫通穴が形成され、下側から水側電極部１１７が嵌め込まれ、その上側に液体導管部１１６が嵌め込まれ、水側電極部１１７には電極連結部１１９が接続されている。電極連結部１１９にはねじ穴１１９ａが設けられ、装置ボディー１１２の横方向に形成されたケーブル接続穴１２２から挿入された水側電極電電源ケーブルの接続が行われる。
【００７７】
また、液体導管部１１６の上部はボディーカバー１１４を介して外部に取出され、外部からホースにより加圧された噴霧液が供給される。
【００７８】
水側電極部１１７及び電極連結部１１９は金属の導電材質で作られている。水側電極部１１７及び電極連結部１１９の導電材質は、金属以外に、導電性を有する樹脂、繊維束、ゴム等を用いて形成されてもよく、また、これらを組み合わせた複合体を用いて形成されていてもよい。
【００７９】
装置ボディー１１２の軸方向に配置された水側電極部１１７の先端側には噴射ノズル部１１８が設けられている。噴射ノズル部１１８は、平均粒子径が１００〜３００μｍの液滴を放出させる。
【００８０】
噴射ノズル１１８の先端側の開放空間には、誘導電極保持部１２４により誘導電極部１２０が配置される。誘導電極部１２０は、導電性のある電極心材１２０ｂを絶縁被覆１２０ｃにて被覆して形成され、上下方向に配置された支持部１２０ｄの下部先端にリング形状のリング部１２０ａが形成されている。
【００８１】
誘導電極部１２０の電極心材１２０ｂは導電性を持つ金属であり、金属以外に、導電性を有する樹脂、繊維束、ゴム等を用いて形成されてもよく、また、これらを組み合わせた複合体を用いて形成されていてもよい。
【００８２】
また、誘導電極部１２０における絶縁被覆１２０ｃの絶縁材質としては、ポリ塩化ビニル樹脂、ポリフェニレンサルファイド樹脂、ウレタン樹脂、ポリテトラフロオロエチレン樹脂、ポリクロロトリフルオロエチレン樹脂、セラミックス（アルミナセラミックス）、ガラス琺瑯の少なくとも１種を絶縁材質に用いて形成されている。
【００８３】
水側電極部１１７と誘導電極部１２０に対しては、図４に示したフレーム１２に設けられた高圧電源装置３６から誘導電極電源ケーブル３８と水側電極電源ケーブル４０が接続され、水側電極部１１７と誘導電極部１２０の間に＋０．５ｋＶ〜＋２０ｋＶまたは−０．５Ｋｖ〜−２０ｋＶの範囲の直流（交流またはパルス状）の所定電圧を印加すると、誘導電極部１２０のリング部１２０ａの周囲に所定の外部電界が形成され、噴射ノズル部１１８からの噴出液が分裂点Ａ付近で分裂して液滴が生成されることから、分裂点Ａで生成された液滴に帯電させ、帯電された液滴の噴霧流を放出させる。
【００８４】
例えば、誘導電極部１２０に直流電圧を印加した場合には、誘導電極部１２０の極性に応じて、正電荷と負電荷の何れか一方の帯電した液滴が生成される。また、交流、パルス状で電圧を印加すると、交互に切り替わる誘導電極部１２０の極性に応じて、選択的に正電荷あるいは負電荷で帯電した液滴が生成される。
【００８５】
また、図４の高圧電源装置３６による誘導電極部１２０に印加する電圧を、＋０．５ｋＶ〜＋２０ｋＶまたは−０．５Ｋｖ〜−２０ｋＶの範囲で一定電圧としてもよいし、変動させてもよい。そして、このように＋０．５ｋＶ〜＋２０ｋＶまたは−０．５Ｋｖ〜−２０ｋＶの範囲にすると、火花放電（コロナ放電）の発生が防止され、安全を確保しながら帯電した液滴の帯電噴霧流が生成される。
【００８６】
なお、ヘッド２８の構造は図７、図８の実施形態に限定されず、液滴を生成すると共に生成した液滴を誘導帯電方式で帯電させて帯電噴霧流を生成させる適宜の構造のヘッドを用いることができる。
【００８７】
［本発明の変形例］
（墜落防止器具）
上記の実施形態は、電動ホイストのワイヤー切断や故障によるフレームの落下を防止するため、リトラクター式墜落防止器具を設けているが、電動ホイストの高い安全性が保障されている場合等にあっては、リトラクター式墜落防止器具は設けなくとも良い。
【００８８】
（噴霧装置）
上記の実施形態は、対象空間の粉塵の除去と冷房を兼ねた帯電噴霧流の放出を行う噴霧装置を例にとるものであったが、本発明はこれに限定されず、農作物の栽培設備での農薬の散布や防護対象空間に対する消火剤の散布等のついても適用できる。
【００８９】
（その他）
また本発明は上記の実施形態に限定されず、その目的と利点を損なうことのない適宜の変形を含み、更に上記の実施形態に示した数値による限定は受けない。
【符号の説明】
【００９０】
１０：噴霧装置
１２：フレーム
１２ａ：リフト係止部
１２ｂ：支持脚
１４：天井面
１６：電動ホイスト
１６ａ，２２ａ：ワイヤー
１８，２４：連結器具
２０，２６：天井梁材
２２：リトラクター式墜落防止器具
２８：ヘッド
３０：角度調整部
３２：ＤＩＮレール
３４：把持部材
３６：高圧電源装置
３８：誘導電極電源ケーブル
４０：水側電極電源ケーブル
４２：ホース弛み吸収装置
４２ａ：ホースリール
４４：ホース
４６：ケーブル弛み吸収装置
４６ａ：ケーブルリール
４８：電源ケーブル
５０：制御弁
５２：噴霧液配管
５４：制御装置
【図１】
2019202285.tif 000003
【図２】
2019202285.tif 000004
【図３】
2019202285.tif 000005
【図４】
2019202285.tif 000006
【図５】
2019202285.tif 000007
【図６】
2019202285.tif 000008
【図７】
2019202285.tif 000009
【図８】
2019202285.tif 000010